(57)【要約】【課題】ドアの前後左右方向の傾き加減を簡単且つ確実に微調整することができ、落下することもない蝶番の台座高さ調整スペーサを提供するものである。【解決手段】扉側固定部２と既存の枠体３に固着される枠側取付部４とを回動自在に連結し、この扉側固定部２と枠側取付部４との取付板５、５を各々上下に配設した二個の取付けビス６，６で固着する蝶番の台座高さ調整スペーサにおいて、板状の台座スペーサ本体７に枠側取付部４を固着する取付けビス６，６が挿通する袋状の溝部８，８を形成するとともに該袋状の溝部８，８の近傍の表面側９に凹部１０を設け、裏面側にこの凹部１０に嵌合する凸部１１を設けたものである。【選択図】        図１
2004257057.tif 000002
【特許請求の範囲】
【請求項１】
扉側固定部と枠側取付部とを回動自在に連結し、該扉側固定部と枠側取付部との取付板を各々上下に配設した二個の取付けビスで固着する蝶番の台座高さ調整スペーサにおいて、板状の台座スペーサ本体に枠側取付部を固着する取付けビスが挿通する袋状の溝部を形成するとともに該袋状の溝部の近傍の表面側に凹部を設け、裏面側に該凹部に嵌合する凸部を設けたことを特徴とする蝶番の台座高さ調整スペーサ。
【請求項２】
上記板状の台座スペーサ本体の前方に蝶番の枠側取付部に設けられた第一調整ネジが挿入する孔を形成することを特徴とする請求項１記載の蝶番の台座高さ調整スペーサ。
【請求項３】
上記板状の台座スペーサ本体の表面側に設けられた凹部と裏面側に設けられた凸部とが、重合した際に嵌合することを特徴とする請求項１又は請求項２記載の蝶番の台座高さ調整スペーサ。
【請求項４】
上記蝶番の枠側取付部の後方に第二調整ネジが設けられ、該第二調整ネジの先端が板状の台座スペーサ本体表面に当接することを特徴とする請求項１乃至請求項３のいずれかに記載の蝶番の台座高さ調整スペーサ。
【発明の詳細な説明】
【０００１】
【発明の属する技術分野】
本発明は、開閉両開き扉、片側開きドア等に用いられる蝶番の台座高さ調整スペーサに関するものである。
【０００２】
【従来の技術】
従来、図９のように、蝶番２０の羽板２１にＬ字形断面の飾り板２２とスペーサ２３を重ねるとともに左右の羽板２１の上下を連結する軸芯を通す左右の羽板の上下に重なる挿通孔２４の間に複数個のワッシャーを挿入し、且つ、上側の挿通孔２４の上に突き出た軸芯の上端に予備ワッシャー２５を嵌め込んでおき、ドアの傾き具合によって、スペーサ２３やワッシャー２５の数の挿入により、ドア２６の傾き加減を調整するものが公知である。
（例えば、特許文献１参照）
【０００３】
【特許文献１】
実開平５−６２６８３号公報（第１−３頁、図１、図２）
【０００４】
このように、ドア２６の傾き加減を調整するのに羽板２１の上下に重なる挿通孔２４にスペーサ２３やワッシャー２５を挿入するものがあるが、平板状のスペーサ２３やワッシャー２５では、何回もドア開閉を行うとこのスペーサ２３やワッシャー２５が落下する危険があり、元通りにドア２６が傾いてくるということもある。また、スペーサ２３の空白部分は、直線形状になっているのでドア２６の前後方向の微調整がしにくいものであった。
【０００５】
【発明が解決しようとする課題】
本発明は上記問題点の解決を目的とするものであり、ドアの前後左右方向の傾き加減を簡単且つ確実に微調整することができ、落下することもない蝶番の台座高さ調整スペーサを提供するものである。
【０００６】
【課題を解決するための手段】
本発明の請求項１記載の蝶番の台座高さ調整スペーサは、扉側固定部と枠側取付部とを回動自在に連結し、該扉側固定部と枠側取付部との取付板を各々上下に配設した二個の取付けビスで固着する蝶番の台座高さ調整スペーサにおいて、板状の台座スペーサ本体に枠側取付部を固着する取付けビスが挿通する袋状の溝部を形成するとともに該袋状の溝部の近傍の表面側に凹部を設け、裏面側に該凹部に嵌合する凸部を設けたことを特徴とするものである。
【０００７】
したがって、ドアの前後左右方向の傾き加減を簡単且つ確実に微調整することができ、落下することもない。
【０００８】
本発明の請求項２記載の蝶番の台座高さ調整スペーサは、請求項１記載の板状の台座スペーサ本体の前方に蝶番の枠側取付部に設けられた第一調整ネジが挿入する孔を形成することを特徴とするものである。
【０００９】
したがって、枠側取付部の前方に設けられた第一調整ネジで押圧する台座スペーサ本体に設けられた孔を介して枠側取付部を直接押圧するので、扉側固定部を前後に調整することが可能となる。
【００１０】
本発明の請求項３記載の蝶番の台座高さ調整スペーサは、請求項１又は請求項２記載の板状の台座スペーサ本体の表面側に設けられた凹部と裏面側に設けられた凸部とが、重合した際に嵌合することを特徴とする。
【００１１】
したがって、重合した際に凹部と凸部とが嵌合するので蝶番の台座高さ調整スペーサが落下することもない。
【００１２】
本発明の請求項４記載の蝶番の台座高さ調整スペーサは、請求項１乃至請求項３のいずれかに記載の蝶番の枠側取付部の後方に第二調整ネジが設けられ、該第二調整ネジの先端が板状の台座スペーサ本体表面に当接することを特徴とする。したがって、台座スペーサ本体の挿入側の枠側取付部の後方に設けられた第二調整ネジによって、ドア左右の隙間の微調整を行うことができる。
【００１３】
【発明の実施の形態】
図１乃至図７に示したように、本発明の実施形態に係わる蝶番の台座高さ調整スペーサであって、図１乃至図３は、蝶番の台座高さ調整スペーサの実施例であり、図４は、上記実施例の蝶番Ｂの台座高さ調整スペーサを重合した状態を示す一部切欠した縦断面であり、図５は、蝶番の台座高さ調整スペーサを回動自在に連結した扉側固定部と枠側取付部とからなり、この枠側取付部の取付板の裏面側に蝶番の台座高さ調整スペーサを差しこむ状態を示す図であり、図６及び図７は、第一調整ネジ及び第二調整ネジの押圧力で扉の歪みが修復される状態を示すもので、以下に説明する。
【００１４】
図１乃至図３に示したように、本発明の蝶番の台座高さ調整スペーサＡは、図５のように扉１へ固定するための扉側固定部２と既存の枠体３に固着される枠側取付部４とを回動自在に連結し、この扉側固定部２と枠側取付部４との取付板５、５を各々上下に配設した二個の取付けビス６，６で固着する蝶番の台座高さ調整スペーサにおいて、板状の台座スペーサ本体７に枠側取付部４を固着する取付けビス６，６が挿通する袋状の溝部８，８を形成するとともに該袋状の溝部８，８の近傍の表面側９に半円形状や逆三角形状の凹部１０を設け、裏面側にこの凹部１０に嵌合する凸部１１を設けたものである。この板状の台座スペーサ本体７は、ステンレスや鉄製等の金属製やポリカーボネート等の合成樹脂製でできたものである。
【００１５】
このとき、板状の台座スペーサ本体７に設けられている袋状の溝部８，８は、取付けビス６，６の外径より大きく形成され、上下方向に連通して形成されている。この台座高さ調整スペーサＡは、通常厚さ０．５〜２・０ｍｍに形成され、数枚重合させて用いられる。そのために、袋状の溝部８，８を介して上下方向の微調整をすることができる。
【００１６】
さらに、図４に示したように、板状の台座スペーサ本体７に設けられている袋状の溝部８，８の近傍の表面側９に設けられた凹部１０に、裏面側１に嵌合する凸部１１が嵌合された状態で重合される。１２は、板状の台座スペーサ本体７の前方に蝶番Ｂの枠側取付部４に設けられた第一調整ネジ１３が挿入する孔１４が形成されている。
【００１７】
図５において、蝶番Ｂは、木質製や金属製の扉１へ固定するための扉側固定部２と既存の枠体３に固着される枠側取付部４とを回動自在に連結され、この扉側固定部２と枠側取付部４との取付板５、５を各々上下に配設した二個の取付けビス６，６で固着するようにしたものである。このとき、蝶番Ｂの台座高さ調整スペーサＡを枠側取付部４を固着する取付けビス６，６を緩めて挿通し、この蝶番Ｂの台座高さ調整スペーサＡの袋状の溝部８，８を介して２枚目の蝶番Ｂの台座高さ調整スペーサＡを挿入し、蝶番Ｂの台座高さを調整する。この袋状の溝部８，８の近傍の表面側９の凹部１０と、裏面側１２に設けた凸部１１とを嵌合することにより蝶番Ｂの台座高さ調整スペーサＡが落下することもなく固着することができる。
【００１８】
尚、上記蝶番Ｂの台座高さ調整スペーサＡの表面側９の凹部１０と、裏面側１２に設けた凸部１１とを嵌合しなければ、凸部１１の高さ分の高さ調整をすることができる。
【００１９】
さらに、図６のように、躯体の歪みなどが発生し、大きくずれている場合は、蝶番Ｂの台座高さ調整スペーサＡであらかじめ調整した後で、蝶番Ｂの第一調整ネジ１３や第二調整ネジ１５で前後左右方向の微調整がなされるものである。
【００２０】
図７のように、蝶番Ｂの第一調整ネジ１３を左周りに回転させることにより，この第一調整ネジ１３が緩み扉１が手前の矢印の方向に移動していくものである。さらに、図８のように、蝶番Ｂの第二調整ネジ１５を左周りに回転させることにより，この第二調整ネジ１５が緩み扉１が蝶番Ｂを左右に移動させることができる。
【００２１】
したがって、蝶番Ｂの枠側取付部４の後方に第二調整ネジ１５が設けられ、この第二調整ネジ１５の先端が板状の台座スペーサ本体７の表面に当接することにより、台座スペーサ本体７の挿入側の枠側取付部４の後方に設けられた第二調整ネジ１５によって、ドア左右の隙間の微調整を行うことができるものである。
【００２２】
【発明の効果】
上述の如く、本発明の請求項１記載の蝶番の台座高さ調整スペーサは、扉側固定部と枠側取付部とを回動自在に連結し、この扉側固定部と枠側取付部との取付板を各々上下に配設した二個の取付けビスで固着する蝶番の台座高さ調整スペーサにおいて、板状の台座スペーサ本体に枠側取付部を固着する取付けビスが挿通する袋状の溝部を形成するとともにこの袋状の溝部の近傍の表面側に凹部を設け、裏面側にこの凹部に嵌合する凸部を設けているので、ドアの前後左右方向の傾き加減を簡単且つ確実に微調整することができ、落下することもない。
【００２３】
本発明の請求項２記載の蝶番の台座高さ調整スペーサは、板状の台座スペーサ本体の前方に蝶番の枠側取付部に設けられた第一調整ネジが挿入する孔を形成しているので、枠側取付部の前方に設けられた第一調整ネジで押圧する台座スペーサ本体に設けられた孔を介して枠側取付部を直接押圧するので、扉側固定部を前後に調整することが可能となる。
【００２４】
本発明の請求項３記載の蝶番の台座高さ調整スペーサは、板状の台座スペーサ本体の表面側に設けられた凹部と裏面側に設けられた凸部とが、重合した際に嵌合するので、重合した際に凹部と凸部とが嵌合するので蝶番の台座高さ調整スペーサが落下することもない。
本発明の請求項４記載の蝶番の台座高さ調整スペーサは、蝶番の枠側取付部の後方に第二調整ネジが設けられ、この第二調整ネジの先端が板状の台座スペーサ本体表面に当接することにより、ドア左右の隙間の微調整を行うことができる。
【図面の簡単な説明】
【図１】本発明の一実施例に係わる蝶番の台座高さ調整スペーサに係わる平面図である。
【図２】本発明の図１の右側面図である。
【図３】本発明の一実施例に係わる蝶番の台座高さ調整スペーサに係わる斜視図である。
【図４】本発明の一実施例に係わる蝶番の台座高さ調整スペーサを重合した状態を示す一部切欠した縦断面図である。
【図５】本発明の蝶番の台座高さ調整スペーサを回動自在に連結した扉側固定部と枠側取付部に取付ける状態を示す要部の斜視図である。
【図６】本発明の扉側固定部と枠側取付部との歪みによる隙間の状態を示す平面図である。
【図７】本発明の蝶番の第一調整ネジによる前後方向の調整の仕方を示す要部の斜視図である。
【図８】本発明の蝶番の第二調整ネジによる左右方向の調整の仕方を示す要部の斜視図である。
【図９】従来の蝶番の調整方法を示す要部の斜視図である。
【符号の説明】
Ａ      蝶番の台座高さ調整スペーサ
Ｂ      蝶番
１      扉
２      扉側固定部
３      枠体
４      枠側取付部
５      取付板
６      取付けビス
７      台座スペーサ本体
８      溝部
９      表面側
１０    凹部
１１    凸部
１２    裏面側
１３    第一調整ネジ
１４    孔
１５    第二調整ネジ
【図１】
2004257057.tif 000003
【図２】
2004257057.tif 000004
【図３】
2004257057.tif 000005
【図４】
2004257057.tif 000006
【図５】
2004257057.tif 000007
【図６】
2004257057.tif 000008
【図７】
2004257057.tif 000009
【図８】
2004257057.tif 000010
【図９】
2004257057.tif 000011